【手続補正書】
【提出日】平成16年3月31日(2004.3.31)
【手続補正１】
【補正対象書類名】明細書
【補正対象項目名】特許請求の範囲
【補正方法】変更
【補正の内容】
【特許請求の範囲】
【請求項１】
縦三列（左列・中列・右列）横五段（一番上の段を一段目  上から二番目の段を二段目  上から三番目の段を三段目  下から二段目の段を四段目  一番下の段を五段目）で文字入力を行うボタンの配置。
【請求項２】
縦三列横五段という十五個のボタン配置による、濁音・半濁音を含まない直音の入力方法
「あ」  左列一段目のボタンを一回押し  続けて中列一段目のボタンを一回押す
「い」  左列一段目のボタンを一回押し  続けて中列二段目のボタンを一回押す
「う」  左列一段目のボタンを一回押し  続けて中列三段目のボタンを一回押す
「え」  左列一段目のボタンを一回押し  続けて中列四段目のボタンを一回押す
「お」  左列一段目のボタンを一回押し  続けて中列五段目のボタンを一回押す
「か」  左列二段目のボタンを一回押し  続けて中列一段目のボタンを一回押す
「き」  左列二段目のボタンを一回押し  続けて中列二段目のボタンを一回押す
「く」  左列二段目のボタンを一回押し  続けて中列三段目のボタンを一回押す
「け」  左列二段目のボタンを一回押し  続けて中列四段目のボタンを一回押す
「こ」  左列二段目のボタンを一回押し  続けて中列五段目のボタンを一回押す
「さ」  左列三段目のボタンを一回押し  続けて中列一段目のボタンを一回押す
「し」  左列三段目のボタンを一回押し  続けて中列二段目のボタンを一回押す
「す」  左列三段目のボタンを一回押し  続けて中列三段目のボタンを一回押す
「せ」  左列三段目のボタンを一回押し  続けて中列四段目のボタンを一回押す
「そ」  左列三段目のボタンを一回押し  続けて中列五段目のボタンを一回押す
「た」  左列四段目のボタンを一回押し  続けて中列一段目のボタンを一回押す
「ち」  左列四段目のボタンを一回押し  続けて中列二段目のボタンを一回押す
「つ」  左列四段目のボタンを一回押し  続けて中列三段目のボタンを一回押す
「て」  左列四段目のボタンを一回押し  続けて中列四段目のボタンを一回押す
「と」  左列四段目のボタンを一回押し  続けて中列五段目のボタンを一回押す
「な」  左列五段目のボタンを一回押し  続けて中列一段目のボタンを一回押す
「に」  左列五段目のボタンを一回押し  続けて中列二段目のボタンを一回押す
「ぬ」  左列五段目のボタンを一回押し  続けて中列三段目のボタンを一回押す
「ね」  左列五段目のボタンを一回押し  続けて中列四段目のボタンを一回押す
「の」  左列五段目のボタンを一回押し  続けて中列五段目のボタンを一回押す
「は」  右列一段目のボタンを一回押し  続けて中列一段目のボタンを一回押す
「ひ」  右列一段目のボタンを一回押し  続けて中列二段目のボタンを一回押す
「ふ」  右列一段目のボタンを一回押し  続けて中列三段目のボタンを一回押す
「へ」  右列一段目のボタンを一回押し  続けて中列四段目のボタンを一回押す
「ほ」  右列一段目のボタンを一回押し  続けて中列五段目のボタンを一回押す
「ま」  右列二段目のボタンを一回押し  続けて中列一段目のボタンを一回押す
「み」  右列二段目のボタンを一回押し  続けて中列二段目のボタンを一回押す
「む」  右列二段目のボタンを一回押し  続けて中列三段目のボタンを一回押す
「め」  右列二段目のボタンを一回押し  続けて中列四段目のボタンを一回押す
「も」  右列二段目のボタンを一回押し  続けて中列五段目のボタンを一回押す
「や」  右列三段目のボタンを一回押し  続けて中列一段目のボタンを一回押す
「ゐ」  右列三段目のボタンを一回押し  続けて中列二段目のボタンを一回押す
「ゆ」  右列三段目のボタンを一回押し  続けて中列三段目のボタンを一回押す
「よ」  右列三段目のボタンを一回押し  続けて中列五段目のボタンを一回押す
「ら」  右列四段目のボタンを一回押し  続けて中列一段目のボタンを一回押す
「り」  右列四段目のボタンを一回押し  続けて中列二段目のボタンを一回押す
「る」  右列四段目のボタンを一回押し  続けて中列三段目のボタンを一回押す
「れ」  右列四段目のボタンを一回押し  続けて中列四段目のボタンを一回押す
「ろ」  右列四段目のボタンを一回押し  続けて中列五段目のボタンを一回押す
「わ」  右列五段目のボタンを一回押し  続けて中列一段目のボタンを一回押す
「を」  右列五段目のボタンを一回押し  続けて中列五段目のボタンを一回押す
【請求項３】
縦三列横五段という十五個のボタン配置による、濁音を含む直音の入力方法
「が」  左列二段目のボタンを一回押し  続けて中列一段目のボタンを二回押す
「ぎ」  左列二段目のボタンを一回押し  続けて中列二段目のボタンを二回押す
「ぐ」  左列二段目のボタンを一回押し  続けて中列三段目のボタンを二回押す
「げ」  左列二段目のボタンを一回押し  続けて中列四段目のボタンを二回押す
「ご」  左列二段目のボタンを一回押し  続けて中列五段目のボタンを二回押す
「ざ」  左列三段目のボタンを一回押し  続けて中列一段目のボタンを二回押す
「じ」  左列三段目のボタンを一回押し  続けて中列二段目のボタンを二回押す
「ず」  左列三段目のボタンを一回押し  続けて中列三段目のボタンを二回押す
「ぜ」  左列三段目のボタンを一回押し  続けて中列四段目のボタンを二回押す
「ぞ」  左列三段目のボタンを一回押し  続けて中列五段目のボタンを二回押す
「だ」  左列四段目のボタンを一回押し  続けて中列一段目のボタンを二回押す
「ぢ」  左列四段目のボタンを一回押し  続けて中列二段目のボタンを二回押す
「づ」  左列四段目のボタンを一回押し  続けて中列三段目のボタンを二回押す
「で」  左列四段目のボタンを一回押し  続けて中列四段目のボタンを二回押す
「ど」  左列四段目のボタンを一回押し  続けて中列五段目のボタンを二回押す
「ば」  右列一段目のボタンを一回押し  続けて中列一段目のボタンを二回押す
「び」  右列一段目のボタンを一回押し  続けて中列二段目のボタンを二回押す
「ぶ」  右列一段目のボタンを一回押し  続けて中列三段目のボタンを二回押す
「べ」  右列一段目のボタンを一回押し  続けて中列四段目のボタンを二回押す
「ぼ」  右列一段目のボタンを一回押し  続けて中列五段目のボタンを二回押す
「ヴ」  左列一段目のボタンを一回押し  続けて中列三段目のボタンを三回押す
【請求項４】
縦三列横五段という十五個のボタン配置による、半濁音を含む直音の入力方法
「ぱ」  右列一段目のボタンを一回押し  続けて中列一段目のボタンを三回押す
「ぴ」  右列一段目のボタンを一回押し  続けて中列二段目のボタンを三回押す
「ぷ」  右列一段目のボタンを一回押し  続けて中列三段目のボタンを三回押す
「ぺ」  右列一段目のボタンを一回押し  続けて中列四段目のボタンを三回押す
「ぽ」  右列一段目のボタンを一回押し  続けて中列五段目のボタンを三回押す
【請求項５】
縦三列横五段という十五個のボタン配置による、撥音の入力方法
「ん」  左列五段目のボタンを二回押す
【請求項６】
縦三列横五段という十五個のボタン配置による、拗音の入力方法
「きゃ」  左列二段目のボタンを一回押し  続けて右列三段目のボタンを一回押し  続けて中列一段目のボタンを一回押す
「きぃ」  左列二段目のボタンを一回押し  続けて右列三段目のボタンを一回押し  続けて中列二段目のボタンを一回押す
「きゅ」  左列二段目のボタンを一回押し  続けて右列三段目のボタンを一回押し  続けて中列三段目のボタンを一回押す
「きぇ」  左列二段目のボタンを一回押し  続けて右列三段目のボタンを一回押し  続けて中列四段目のボタンを一回押す
「きょ」  左列二段目のボタンを一回押し  続けて右列三段目のボタンを一回押し  続けて中列五段目のボタンを一回押す
「くぁ」  左列二段目のボタンを一回押し  続けて右列五段目のボタンを一回押し  続けて中列一段目のボタンを一回押す
「しゃ」  左列三段目のボタンを一回押し  続けて右列三段目のボタンを一回押し  続けて中列一段目のボタンを一回押す
「しぃ」  左列三段目のボタンを一回押し  続けて右列三段目のボタンを一回押し  続けて中列二段目のボタンを一回押す
「しゅ」  左列三段目のボタンを一回押し  続けて右列三段目のボタンを一回押し  続けて中列三段目のボタンを一回押す
「しぇ」  左列三段目のボタンを一回押し  続けて右列三段目のボタンを一回押し  続けて中列四段目のボタンを一回押す
「しょ」  左列三段目のボタンを一回押し  続けて右列三段目のボタンを一回押し  続けて中列五段目のボタンを一回押す
「ちゃ」  左列四段目のボタンを一回押し  続けて右列三段目のボタンを一回押し  続けて中列一段目のボタンを一回押す
「ちぃ」  左列四段目のボタンを一回押し  続けて右列三段目のボタンを一回押し  続けて中列二段目のボタンを一回押す
「ちゅ」  左列四段目のボタンを一回押し  続けて右列三段目のボタンを一回押し  続けて中列三段目のボタンを一回押す
「ちぇ」  左列四段目のボタンを一回押し  続けて右列三段目のボタンを一回押し  続けて中列四段目のボタンを一回押す
「ちょ」  左列四段目のボタンを一回押し  続けて右列三段目のボタンを一回押し  続けて中列五段目のボタンを一回押す
「つぁ」  左列四段目のボタンを一回押し  続けて左列三段目のボタンを一回押し  続けて中列一段目のボタンを一回押す
「つぃ」  左列四段目のボタンを一回押し  続けて左列三段目のボタンを一回押し  続けて中列二段目のボタンを一回押す
「つぇ」  左列四段目のボタンを一回押し  続けて左列三段目のボタンを一回押し  続けて中列四段目のボタンを一回押す
「つぉ」  左列四段目のボタンを一回押し  続けて左列三段目のボタンを一回押し  続けて中列五段目のボタンを一回押す
「てゃ」  左列四段目のボタンを一回押し  続けて右列一段目のボタンを一回押し  続けて中列一段目のボタンを一回押す
「てぃ」  左列四段目のボタンを一回押し  続けて右列一段目のボタンを一回押し  続けて中列二段目のボタンを一回押す
「てゅ」  左列四段目のボタンを一回押し  続けて右列一段目のボタンを一回押し  続けて中列三段目のボタンを一回押す
「てぇ」  左列四段目のボタンを一回押し  続けて右列一段目のボタンを一回押し  続けて中列四段目のボタンを一回押す
「てょ」  左列四段目のボタンを一回押し  続けて右列一段目のボタンを一回押し  続けて中列五段目のボタンを一回押す
「とぅ」  左列四段目のボタンを一回押し  続けて右列五段目のボタンを一回押し  続けて中列三段目のボタンを一回押す
「にゃ」  左列五段目のボタンを一回押し  続けて右列三段目のボタンを一回押し  続けて中列一段目のボタンを一回押す
「にぃ」  左列五段目のボタンを一回押し  続けて右列三段目のボタンを一回押し  続けて中列二段目のボタンを一回押す
「にゅ」  左列五段目のボタンを一回押し  続けて右列三段目のボタンを一回押し  続けて中列三段目のボタンを一回押す
「にぇ」  左列五段目のボタンを一回押し  続けて右列三段目のボタンを一回押し  続けて中列四段目のボタンを一回押す
「にょ」  左列五段目のボタンを一回押し  続けて右列三段目のボタンを一回押し  続けて中列五段目のボタンを一回押す
「ひゃ」  右列一段目のボタンを一回押し  続けて右列三段目のボタンを一回押し  続けて中列一段目のボタンを一回押す
「ひぃ」  右列一段目のボタンを一回押し  続けて右列三段目のボタンを一回押し  続けて中列二段目のボタンを一回押す
「ひゅ」  右列一段目のボタンを一回押し  続けて右列三段目のボタンを一回押し  続けて中列三段目のボタンを一回押す
「ひぇ」  右列一段目のボタンを一回押し  続けて右列三段目のボタンを一回押し  続けて中列四段目のボタンを一回押す
「ひょ」  右列一段目のボタンを一回押し  続けて右列三段目のボタンを一回押し  続けて中列五段目のボタンを一回押す
「みゃ」  右列二段目のボタンを一回押し  続けて右列三段目のボタンを一回押し  続けて中列一段目のボタンを一回押す
「みぃ」  右列二段目のボタンを一回押し  続けて右列三段目のボタンを一回押し  続けて中列二段目のボタンを一回押す
「みゅ」  右列二段目のボタンを一回押し  続けて右列三段目のボタンを一回押し  続けて中列三段目のボタンを一回押す
「みぇ」  右列二段目のボタンを一回押し  続けて右列三段目のボタンを一回押し  続けて中列四段目のボタンを一回押す
「みょ」  右列二段目のボタンを一回押し  続けて右列三段目のボタンを一回押し  続けて中列五段目のボタンを一回押す
「りゃ」  右列四段目のボタンを一回押し  続けて右列三段目のボタンを一回押し  続けて中列一段目のボタンを一回押す
「りぃ」  右列四段目のボタンを一回押し  続けて右列三段目のボタンを一回押し  続けて中列二段目のボタンを一回押す。
「りゅ」  右列四段目のボタンを一回押し  続けて右列三段目のボタンを一回押し  続けて中列三段目のボタンを一回押す
「りぇ」  右列四段目のボタンを一回押し  続けて右列三段目のボタンを一回押し  続けて中列四段目のボタンを一回押す
「りょ」  右列四段目のボタンを一回押し  続けて右列三段目のボタンを一回押し  続けて中列五段目のボタンを一回押す
「うぃ」  右列五段目のボタンを一回押し  続けて中列二段目のボタンを一回押す
「うぇ」  右列五段目のボタンを一回押し  続けて中列四段目のボタンを一回押す
「いぇ」  右列三段目のボタンを一回押し  続けて中列四段目のボタンを一回押す
「ぎゃ」  左列二段目のボタンを一回押し  続けて右列三段目のボタンを一回押し  続けて中列一段目のボタンを二回押す
「ぎぃ」  左列二段目のボタンを一回押し  続けて右列三段目のボタンを一回押し  続けて中列二段目のボタンを二回押す
「ぎゅ」  左列二段目のボタンを一回押し  続けて右列三段目のボタンを一回押し  続けて中列三段目のボタンを二回押す
「ぎぇ」  左列二段目のボタンを一回押し  続けて右列三段目のボタンを一回押し  続けて中列四段目のボタンを二回押す
「ぎょ」  左列二段目のボタンを一回押し  続けて右列三段目のボタンを一回押し  続けて中列五段目のボタンを二回押す
「ぐぁ」  左列二段目のボタンを一回押し  続けて右列五段目のボタンを一回押し  続けて中列一段目のボタンを二回押す
「じゃ」  左列三段目のボタンを一回押し  続けて右列三段目のボタンを一回押し  続けて中列一段目のボタンを二回押す
「じぃ」  左列三段目のボタンを一回押し  続けて右列三段目のボタンを一回押し  続けて中列二段目のボタンを二回押す
「じゅ」  左列三段目のボタンを一回押し  続けて右列三段目のボタンを一回押し  続けて中列三段目のボタンを二回押す
「じぇ」  左列三段目のボタンを一回押し  続けて右列三段目のボタンを一回押し  続けて中列四段目のボタンを二回押す
「じょ」  左列三段目のボタンを一回押し  続けて右列三段目のボタンを一回押し  続けて中列五段目のボタンを二回押す
「ぢゃ」  左列四段目のボタンを一回押し  続けて右列三段目のボタンを一回押し  続けて中列一段目のボタンを二回押す
「ぢぃ」  左列四段目のボタンを一回押し  続けて右列三段目のボタンを一回押し  続けて中列二段目のボタンを二回押す
「ぢゅ」  左列四段目のボタンを一回押し  続けて右列三段目のボタンを一回押し  続けて中列三段目のボタンを二回押す
「ぢぇ」  左列四段目のボタンを一回押し  続けて右列三段目のボタンを一回押し  続けて中列四段目のボタンを二回押す
「ぢょ」  左列四段目のボタンを一回押し  続けて右列三段目のボタンを一回押し  続けて中列五段目のボタンを二回押す
「でゃ」  左列四段目のボタンを一回押し  続けて右列一段目のボタンを一回押し  続けて中列一段目のボタンを二回押す
「でぃ」  左列四段目のボタンを一回押し  続けて右列一段目のボタンを一回押し  続けて中列二段目のボタンを二回押す
「でゅ」  左列四段目のボタンを一回押し  続けて右列一段目のボタンを一回押し  続けて中列三段目のボタンを二回押す
「でぇ」  左列四段目のボタンを一回押し  続けて右列一段目のボタンを一回押し  続けて中列四段目のボタンを二回押す
「でょ」  左列四段目のボタンを一回押し  続けて右列一段目のボタンを一回押し  続けて中列五段目のボタンを二回押す
「どぅ」  左列四段目のボタンを一回押し  続けて右列五段目のボタンを一回押し  続けて中列三段目のボタンを二回押す
「びゃ」  右列一段目のボタンを一回押し  続けて右列三段目のボタンを一回押し  続けて中列一段目のボタンを二回押す
「びぃ」  右列一段目のボタンを一回押し  続けて右列三段目のボタンを一回押し  続けて中列二段目のボタンを二回押す
「びゅ」  右列一段目のボタンを一回押し  続けて右列三段目のボタンを一回押し  続けて中列三段目のボタンを二回押す
「びぇ」  右列一段目のボタンを一回押し  続けて右列三段目のボタンを一回押し  続けて中列四段目のボタンを二回押す
「びょ」  右列一段目のボタンを一回押し  続けて右列三段目のボタンを一回押し  続けて中列五段目のボタンを二回押す
「ぴゃ」  右列一段目のボタンを一回押し  続けて右列三段目のボタンを一回押し  続けて中列一段目のボタンを三回押す
「ぴぃ」  右列一段目のボタンを一回押し  続けて右列三段目のボタンを一回押し  続けて中列二段目のボタンを三回押す
「ぴゅ」  右列一段目のボタンを一回押し  続けて右列三段目のボタンを一回押し  続けて中列三段目のボタンを三回押す
「ぴぇ」  右列一段目のボタンを一回押し  続けて右列三段目のボタンを一回押し  続けて中列四段目のボタンを三回押す
「ぴょ」  右列一段目のボタンを一回押し  続けて右列三段目のボタンを一回押し  続けて中列五段目のボタンを三回押す
【請求項７】
縦三列横五段という十五個のボタン配置による、促音を含む文字の入力方法
「っか」  左列二段目のボタンを二回押し  続けて中列一段目のボタンを一回押す
「っき」  左列二段目のボタンを二回押し  続けて中列二段目のボタンを一回押す
「っく」  左列二段目のボタンを二回押し  続けて中列三段目のボタンを一回押す
「っけ」  左列二段目のボタンを二回押し  続けて中列四段目のボタンを一回押す
「っこ」  左列二段目のボタンを二回押し  続けて中列五段目のボタンを一回押す
「っが」  左列二段目のボタンを二回押し  続けて中列一段目のボタンを二回押す
「っぎ」  左列二段目のボタンを二回押し  続けて中列二段目のボタンを二回押す
「っぐ」  左列二段目のボタンを二回押し  続けて中列三段目のボタンを二回押す
「っげ」  左列二段目のボタンを二回押し  続けて中列四段目のボタンを二回押す
「っご」  左列二段目のボタンを二回押し  続けて中列五段目のボタンを二回押す
「っさ」  左列三段目のボタンを二回押し  続けて中列一段目のボタンを一回押す
「っし」  左列三段目のボタンを二回押し  続けて中列二段目のボタンを一回押す
「っす」  左列三段目のボタンを二回押し  続けて中列三段目のボタンを一回押す
「っせ」  左列三段目のボタンを二回押し  続けて中列四段目のボタンを一回押す
「っそ」  左列三段目のボタンを二回押し  続けて中列五段目のボタンを一回押す
「っざ」  左列三段目のボタンを二回押し  続けて中列一段目のボタンを二回押す
「っじ」  左列三段目のボタンを二回押し  続けて中列二段目のボタンを二回押す
「っず」  左列三段目のボタンを二回押し  続けて中列三段目のボタンを二回押す
「っぜ」  左列三段目のボタンを二回押し  続けて中列四段目のボタンを二回押す
「っぞ」  左列三段目のボタンを二回押し  続けて中列五段目のボタンを二回押す
「った」  左列四段目のボタンを二回押し  続けて中列一段目のボタンを一回押す
「っち」  左列四段目のボタンを二回押し  続けて中列二段目のボタンを一回押す
「っつ」  左列四段目のボタンを二回押し  続けて中列三段目のボタンを一回押す
「って」  左列四段目のボタンを二回押し  続けて中列四段目のボタンを一回押す
「っと」  左列四段目のボタンを二回押し  続けて中列五段目のボタンを一回押す
「っだ」  左列四段目のボタンを二回押し  続けて中列一段目のボタンを二回押す
「っぢ」  左列四段目のボタンを二回押し  続けて中列二段目のボタンを二回押す
「っづ」  左列四段目のボタンを二回押し  続けて中列三段目のボタンを二回押す
「っで」  左列四段目のボタンを二回押し  続けて中列四段目のボタンを二回押す
「っど」  左列四段目のボタンを二回押し  続けて中列五段目のボタンを二回押す
「っは」  左列五段目のボタンを二回押し  続けて中列一段目のボタンを一回押す
「っひ」  左列五段目のボタンを二回押し  続けて中列二段目のボタンを一回押す
「っふ」  左列五段目のボタンを二回押し  続けて中列三段目のボタンを一回押す
「っへ」  左列五段目のボタンを二回押し  続けて中列四段目のボタンを一回押す
「っほ」  左列五段目のボタンを二回押し  続けて中列五段目のボタンを一回押す
「っば」  左列五段目のボタンを二回押し  続けて中列一段目のボタンを二回押す
「っび」  左列五段目のボタンを二回押し  続けて中列二段目のボタンを二回押す
「っぶ」  左列五段目のボタンを二回押し  続けて中列三段目のボタンを二回押す
「っべ」  左列五段目のボタンを二回押し  続けて中列四段目のボタンを二回押す
「っぼ」  左列五段目のボタンを二回押し  続けて中列五段目のボタンを二回押す
「っぱ」  左列五段目のボタンを二回押し  続けて中列一段目のボタンを三回押す
「っぴ」  左列五段目のボタンを二回押し  続けて中列二段目のボタンを三回押す
「っぷ」  左列五段目のボタンを二回押し  続けて中列三段目のボタンを三回押す
「っぺ」  左列五段目のボタンを二回押し  続けて中列四段目のボタンを三回押す
「っぽ」  左列五段目のボタンを二回押し  続けて中列五段目のボタンを三回押す
【請求項８】
縦三列横五段という十五個のボタン配置による、長音の入力方法
「ー」  右列二段目のボタンを三回押す
【請求項９】
縦三列横五段という十五個のボタン配置による、読点の入力方法
「、」  右列二段目のボタンを二回押す
【請求項１０】
縦三列横五段という十五個のボタン配置による、句点の入力方法
「。」  右列四段目のボタンを二回押す
【請求項１１】
縦三列横五段という十五個のボタン配置による、疑問符の入力方法
「？」  右列四段目のボタンを三回押す
【請求項１２】
縦三列横五段という十五個のボタン配置による、バックスペース（直前の文字を削除）の入力方法
左列一段目のボタンを二回押す
【請求項１３】
縦三列横五段という十五個のボタン配置による、文字入力途中のキャンセルの方法
左列一段目のボタンを二回押す
【請求項１４】
縦三列横五段という十五個のボタン配置による、小文字の入力方法
「ぁ」  左列一段目のボタンを一回押し  続けて中列一段目のボタンを二回押す
「ぃ」  左列一段目のボタンを一回押し  続けて中列二段目のボタンを二回押す
「ぅ」  左列一段目のボタンを一回押し  続けて中列三段目のボタンを二回押す
「ぇ」  左列一段目のボタンを一回押し  続けて中列四段目のボタンを二回押す
「ぉ」  左列一段目のボタンを一回押し  続けて中列五段目のボタンを二回押す
「ヵ」  左列二段目のボタンを一回押し  続けて中列一段目のボタンを三回押す
「ヶ」  左列二段目のボタンを一回押し  続けて中列四段目のボタンを三回押す
「っ」  左列四段目のボタンを一回押し  続けて中列三段目のボタンを三回押す
「ゃ」  右列三段目のボタンを一回押し  続けて中列一段目のボタンを二回押す
「ゅ」  右列三段目のボタンを一回押し  続けて中列三段目のボタンを二回押す
「ょ」  右列三段目のボタンを一回押し  続けて中列五段目のボタンを二回押す
「ゎ」  右列五段目のボタンを一回押し  続けて中列一段目のボタンを二回押す
【請求項１５】
縦三列横五段という十五個のボタン配置による、変換キー、文節伸キー、文節縮キー、選択キー、確定キー、変換候補全文字ひらがな選択キー、変換候補全文字カタカナ選択キーの配置
い段で終る文字・文章時は、
中列三段目のボタンと中列一段目のボタンが変換キーとするボタンの配置。
変換キー入力後においては、右列二段目のボタンが文節伸キーに、左列二段目のボタンが文節縮キーに、中列三段目のボタンと中列一段目のボタンが選択キーに、中列二段目のボタンが確定キーとするボタンの配置。
選択キー入力後においては、右列二段目と左列二段目と中列三段目と中列一段目のボタンが選択キーに、左列三段目のボタンが変換候補全文字ひらがな選択キーに、右列三段目のボタンが変換候補全文字カタカナ選択キーに、中列二段目のボタンが確定キーとするボタン配置。
う段で終る文字・文章時は、
中列四段目のボタンと中列二段目のボタンが変換キーとするボタンの配置。
変換キー入力後においては、右列三段目のボタンが文節伸キーに、左列三段目のボタンが文節縮キーに、中列四段目のボタンと中列二段目のボタンが選択キーに、中列三段目のボタンが確定キーとするボタンの配置。
選択キー入力後においては、右列三段目と左列三段目と中列四段目と中列二段目のボタンが選択キーに、左列四段目のボタンが変換候補全文字ひらがな選択キーに、右列四段目のボタンが変換候補全文字カタカナ選択キーに、中列三段目のボタンが確定キーとするボタン配置。
え段で終る文字・文章時は、
中列五段目のボタンと中列三段目のボタンが変換キーとするボタンの配置。
変換キー入力後においては、右列四段目のボタンが文節伸キーに、左列四段目のボタンが文節縮キーに、中列五段目のボタンと中列三段目のボタンが選択キーに、中列四段目のボタンが確定キーとするボタンの配置。
選択キー入力後においては、右列四段目と左列四段目と中列五段目と中列三段目のボタンが選択キーに、左列五段目のボタンが変換候補全文字ひらがな選択キーに、右列五段目のボタンが変換候補全文字カタカナ選択キーに、中列四段目のボタンが確定キーとするボタン配置。
お段で終る文字・文章時は、
中列四段目のボタンと中列二段目のボタンが変換キーとするボタンの配置。
変換キー入力後においては、右列五段目と右列三段目のボタンとが文節伸キーに、左列五段目と左列三段目のボタンが文節縮キーに、中列四段目のボタンと中列二段目のボタンが選択キーに、中列五段目と中列三段目のボタンが確定キーとするボタンの配置。
選択キー入力後においては、右列五段目と左列五段目と右列三段目と左列三段目と中列四段目と中列二段目のボタンが選択キーに、左列四段目のボタンが変換候補全文字ひらがな選択キーに、右列四段目のボタンが変換候補全文字カタカナ選択キーに、中列五段目と中列三段目のボタンが確定キーとするボタン配置。
あ段で終る文字・文章時は、
中列二段目のボタンと中列四段目のボタンが変換キーとするボタンの配置。
変換キー入力後においては、右列一段目と右列三段目のボタンとが文節伸キーに、左列三段目のボタンが文節縮キーに、中列二段目のボタンと中列四段目のボタンが選択キーに、中列一段目と中列三段目のボタンが確定キーとするボタンの配置。
選択キー入力後においては、右列一段目と右列三段目と左列三段目と中列二段目と中列四段目のボタンが選択キーに、左列二段目と左列四段目のボタンが変換候補全文字ひらがな選択キーに、右列二段目と右列四段目のボタンが変換候補全文字カタカナ選択キーに、中列一段目と中列三段目のボタンが確定キーとするボタン配置。
句点で終る文章時または「。」のみの時・疑問符で終る文字・文章時は、
中列四段目のボタンと中列二段目のボタンが変換キーとするボタンの配置。
変換キー入力後においては、右列三段目のボタンと右列五段目のボタンが文節伸キーに、左列三段目のボタンと左列五段目のボタンが
文節縮キーに、中列四段目のボタンと中列二段目のボタンが選択キーに、中列三段目のボタンと中列五段目のボタンが確定キーとするボタンの配置。
選択キー入力後においては、右列三段目と左列三段目と中列四段目と中列二段目と右列五段目と左列五段目のボタン
が選択キーに、左列四段目のボタンが変換候補全文字ひらがな選択キーに、右列四段目のボタンが変換候補全文字カタカナ選択キーに、中列三段目のボタンと中列五段目のボタンが確定キーとするボタン配置。
読点で終る文章時または「、」のみの時、
中列二段目のボタンと中列四段目のボタンが変換キーとするボタンの配置。
変換キー入力後においては、右列一段目と右列三段目のボタンとが文節伸キーに、左列三段目のボタンが文節縮キーに、中列二段目のボタンと中列四段目のボタンが選択キーに、中列一段目と中列三段目のボタンが確定キーとするボタンの配置。
選択キー入力後においては、右列一段目と右列三段目と左列三段目と中列二段目と中列四段目のボタンが選択キーに、左列二段目と左列四段目のボタンが変換候補全文字ひらがな選択キーに、右列二段目と右列四段目のボタンが変換候補全文字カタカナ選択キーに、中列一段目と中列三段目のボタンが確定キーとするボタン配置。
長音で終る文字・文章時は、
中列二段目のボタンと中列四段目のボタンが変換キーとするボタンの配置。
変換キー入力後においては、右列一段目と右列三段目のボタンとが文節伸キーに、左列三段目のボタンが文節縮キーに、中列二段目のボタンと中列四段目のボタンが選択キーに、中列一段目と中列三段目のボタンが確定キーとするボタンの配置。
選択キー入力後においては、右列一段目と右列三段目と左列三段目と中列二段目と中列四段目のボタンが選択キーに、左列二段目と左列四段目のボタンが変換候補全文字ひらがな選択キーに、右列二段目と右列四段目のボタンが変換候補全文字カタカナ選択キーに、中列一段目と中列三段目のボタンが確定キーとするボタン配置。
撥音で終る文字・文章時は、
中列五段目のボタンと中列三段目のボタンが変換キーとするボタンの配置。
変換キー入力後においては、右列四段目のボタンが文節伸キーに、左列四段目のボタンが文節縮キーに、中列五段目のボタンと中列三段目のボタンが選択キーに、中列四段目のボタンが確定キーとするボタンの配置。
選択キー入力後においては、右列四段目と左列四段目と中列五段目と中列三段目のボタンが選択キーに、左列五段目のボタンが変換候補全文字ひらがな選択キーに、右列五段目のボタンが変換候補全文字カタカナ選択キーに、中列四段目のボタンが確定キーとするボタン配置。
ケアレスミス、勘違い防止のため、
い段で終る文字・文章時は、変換キー入力後、選択キー入力後においては、
中列四段目のボタンも確定キーとするボタンの配置。え段、撥音で終る文字・文章時は、変換キー入力後、選択キー入力後においては、中列二段目のボタンも確定キーとするボタンの配置。
【請求項１６】
縦三列横五段という十五個のボタン配置による、リターンキー・エンターキーの入力方法
右列三段目のボタンを二回押す
【請求項１７】
絵文字の入力方法
「え」の変換候補として、絵文字を含ませる事により、
「え」を入力し、変換作業によって該当絵文字を選択、確定する。
【請求項１８】
縦三列横五段という十五個のボタン配置による、スペース・空欄（一マス空ける）の入力方法の入力方法
右列五段目のボタンを二回押す
【請求項１９】
縦三列横五段という十五個のボタン配置で、変換作業中における、中止キー、右カーソルキー、左カーソルキーの配置
う段で終る文字・文章時の場合、
変換キー入力後、変換作業中においては、
中列一段目のボタンと中列五段目のボタンが中止キーに、右列一段目のボタンと右列五段目のボタンが右カーソルキーに、左列一段目のボタンと左列五段目のボタンが左カーソルキーとするボタン配置。
あ段、い段、長音で終る文字・文章時の場合、変換キー入力後、変換作業中においては、中列五段目のボタンが中止キーに、右列五段目のボタンが右カーソルキーに、左列五段目のボタンが左カーソルキーとするボタン配置。
え段、お段、撥音、疑問符で終る文字・文章時の場合、変換キー入力後、変換作業中においては、中列一段目のボタンが中止キーに、右列一段目が右カーソルキーに、左列一段目のボタンが左カーソルキーとするボタン配置。
読点で終る文章時または「、」のみの場合、変換キー入力後、変換作業中においては、中列五段目のボタンが中止キーに、右列五段目が右カーソルキーに、左列五段目のボタンが左カーソルキーとするボタン配置。
句点で終る文章時または「。」のみの場合、変換キー入力後、変換作業中においては、中列一段目のボタンが中止キーに、右列一段目のボタンが右カーソルキーに、左列一段目のボタンが左カーソルキーとするボタン配置。
【請求項２０】
縦三列横五段という十五個のボタン配置による、敬称の入力方法
「け」の変換候補として、「さん・様・先生・君・氏・ちゃん・殿・部長・係長・おばさん」を含ませる事により、
左列二段目のボタンを一回押し  続けて中列四段目のボタンを一回押し
「け」を入力し、変換作業によって該当の敬称を選択、確定する。
【請求項２１】
縦三列横五段という十五個のボタン配置による、文章終了キー、Yesボタン、Noボタンの配置
確定キー入力後または、右三列目のボタンを二回押した後においては、中列三段目のボタンが文章作成終了
キーとするボタン配置。
文章終了キー入力後においては、YESボタンを右列三段目、NOボタンを左列五段目とするボタン配置
【請求項２２】
以上の請求項を左右対象にした
ボタン配置。
【手続補正２】
【補正対象書類名】図面
【補正対象項目名】図２
【補正方法】変更
【補正の内容】
【図２】
2004240808.tif 000001